(57)【要約】【課題】本発明は、放送及び事前取得された各ＰＥＳパケットストリームの同期再生が可能なデジタル放送システムを提供することを目的とする。【解決手段】第１及び第２時刻カウント基準値と、第１コンテンツと、その再生時刻を第１時刻カウンタのカウント値で示す第１再生カウント値とを含むＴＳを放送する放送装置と、第１及び第２時刻カウンタを有し、前記ＴＳを受信し、第２コンテンツとその再生時刻を前記第２時刻カウンタのカウント値で示す第２再生カウント値とを取得し、前記第１及び第２時刻カウント基準値を受信する毎に、前記第１及び第２カウンタのカウント値を前記第１及び第２時刻カウント基準値に再設定し、前記第１及び第２時刻カウンタのカウント値がそれぞれ前記第１及び第２再生カウント値に達した場合に、第１及び第２コンテンツを再生する放送受信装置とから構成される。【選択図】　図６
2004088366.tif 000002
【特許請求の範囲】
【請求項１】
放送装置と、一定周期で時刻をカウントする、第１及び第２時刻カウンタを含む放送受信装置とから構成されるデジタル放送システムであって、
前記放送装置は、各瞬時において前記第１及び第２時刻カウンタの各カウント値を再設定するための第１及び第２時刻カウント基準値と、第１コンテンツと、第１コンテンツの再生時刻を前記第１時刻カウンタのカウント値で示す第１再生カウント値とを含むトランスポートストリーム（ＴＳ）を継続して放送し、
前記放送受信装置は、
前記ＴＳを受信する受信手段と、
第２コンテンツと第２コンテンツの再生時刻を前記第２時刻カウンタのカウント値で示す第２再生カウント値とを取得する取得手段と、
前記第１時刻カウンタのカウント値が前記第１再生カウント値に達した場合に、第１コンテンツを再生する第１コンテンツ再生手段と、
前記第２時刻カウンタのカウント値が前記第２再生カウント値に達した場合に、第２コンテンツを再生する第２コンテンツ再生手段と
を有し、
前記第１及び第２時刻カウンタは、前記第１及び第２時刻カウント基準値が受信される毎に、それぞれのカウント値を受信した前記第１及び第２時刻カウント基準値に再設定する
ことを特徴とするデジタル放送システム。
【請求項２】
前記放送装置は、前記ＴＳを放送する前に、前記第２コンテンツと前記第２再生カウント値とを含むＴＳをデータ放送し、
前記取得手段は、取得した前記第２コンテンツと前記第２再生カウント値とを記憶領域に記録する記録手段
を有することを特徴とする請求項１記載のデジタル放送システム。
【請求項３】
前記放送装置は、インターネットを介して前記第２コンテンツと前記第２再生カウント値とを送信する送信手段を有し、
前記取得手段は、
前記送信手段から送信された前記第２コンテンツと前記第２再生カウント値とを受信するインターネット受信手段と、
受信された前記第２再生カウント値と前記第２コンテンツを記憶する記憶手段と
を有することを特徴とする請求項１記載のデジタル放送システム。
【請求項４】
前記放送装置は、前記第２再生カウント値と前記第２コンテンツを記録媒体に記録する記録手段を有し、
前記取得手段は、前記第２再生カウント値と前記第２コンテンツとを記録した記録媒体から前記第２再生カウント値と前記第２コンテンツを読み出すことにより、前記第２再生カウント値と前記第２コンテンツを取得する
ことを特徴とする請求項１記載のデジタル放送システム。
【請求項５】
前記第１及び第２時刻カウント基準値は、所定の周波数のクロックにより、同一周期で時刻カウントされるカウント値である
ことを特徴とする請求項１記載のデジタル放送システム。
【請求項６】
前記受信手段は、前記ＴＳを記憶領域に記録する記録手段を有し、
前記第１コンテンツ再生手段は、前記記憶領域から前記第１再生カウント値と第１コンテンツを読出し、前記第１時刻カウンタのカウント値が前記第１再生カウント値に達した場合に、第１コンテンツを再生する
ことを特徴とする請求項１〜５の何れかに記載のデジタル放送システム。
【請求項７】
前記第１及び第２コンテンツはそれぞれ異なる映像を示すコンテンツであり、
前記放送受信装置は、さらに再生した第１及び第２コンテンツの示す各映像を同一画面に合成して出力する合成出力手段
を備えることを特徴とする請求項１〜６の何れかに記載のデジタル放送システム。
【請求項８】
前記第１コンテンツは音声を再生するためのコンテンツであり、
前記第２コンテンツは、映像を示すコンテンツである
ことを特徴とする請求項１〜６の何れかに記載のデジタル放送システム。
【請求項９】
一定周期で時刻をカウントする、第１及び第２時刻カウンタを含む放送受信装置であって、
各瞬時において前記第１及び第２時刻カウンタの各カウント値を再設定するための第１及び第２時刻カウント基準値と、第１コンテンツと、第１コンテンツの再生時刻を前記第１時刻カウンタのカウント値で示す第１再生カウント値とを含むトランスポートストリーム（ＴＳ）を受信する受信手段と、
第２コンテンツと、第２コンテンツの再生時刻を前記第２時刻カウンタのカウント値で示す第２再生カウント値とを取得する取得手段と、
前記第１時刻カウンタのカウント値が前記第１再生カウント値に達した場合に、第１コンテンツを再生する第１コンテンツ再生手段と、
前記第２時刻カウンタのカウント値が前記第２再生カウント値に達した場合に、第２コンテンツを再生する第２コンテンツ再生手段と
を備え、
前記第１及び第２時刻カウンタは、前記第１及び第２時刻カウント基準値が受信される毎に、それぞれのカウント値を受信された前記第１及び第２時刻カウント基準値に再設定する
ことを特徴とする放送受信装置。
【請求項１０】
前記受信手段は、データ放送された前記第２コンテンツと前記第２再生カウント値とを含むＴＳを受信し、
前記取得手段は、取得した前記第２再生カウント値と前記第２コンテンツとを記憶領域に記録する記録手段
を有することを特徴とする請求項９記載の放送受信装置。
【請求項１１】
前記取得手段は、
インターネットを介して送信された前記第２コンテンツと前記第２再生カウント値とを受信するインターネット受信手段と、
受信された前記第２再生カウント値と前記第２コンテンツを記憶する記憶手段と
を備えることを特徴とする請求項９記載の放送受信装置。
【請求項１２】
前記取得手段は、前記第２コンテンツと前記第２再生カウント値とを記録した記録媒体から前記第２再生カウント値と前記第２コンテンツを読み出すことにより、前記第２再生カウント値と前記第２コンテンツを取得する
ことを特徴とする請求項９記載の放送受信装置。
【請求項１３】
前記第１及び第２時刻カウント基準値は、所定の周波数のクロックにより同一周期で時刻カウントされるカウント値である
ことを特徴とする請求項９記載の放送受信装置。
【請求項１４】
前記受信手段は、前記ＴＳを記憶領域に記録する記録手段を有し、
前記第１コンテンツ再生手段は、前記記憶領域から前記第１再生カウント値と第１コンテンツを読出し、前記第１時刻カウンタのカウント値が前記第１再生カウント値に達した場合に、第１コンテンツを再生する
ことを特徴とする請求項９〜１３の何れかに記載の放送受信装置。
【請求項１５】
前記第１及び第２コンテンツはそれぞれ異なる映像を示すコンテンツであり、
前記放送受信装置は、さらに再生した第１及び第２コンテンツの示す各映像を同一画面に合成して出力する合成出力手段
を備えることを特徴とする請求項９〜１４の何れかに記載の放送受信装置。
【請求項１６】
前記第１コンテンツは音声を再生するためのコンテンツであり、
前記第２コンテンツは、映像を示すコンテンツである
ことを特徴とする請求項９〜１４の何れかに記載の放送受信装置。
【発明の詳細な説明】
【０００１】
【発明の属する技術分野】
本発明は、デジタル放送受信機およびデジタル放送システムに関するものであり、特に映像データと音声データの同期再生の技術に関する。
【０００２】
【従来の技術】
近年、テレビ放送においては、従来の地上波放送に加え、デジタル放送という新しい放送形式が普及しつつある。デジタル放送では、映像、音声、文字情報等の各種データが多重化されて放送され、デジタル放送受信装置によって、放送が受信され、多重化された各種データは、データ種別毎に切り出され、切り出された各データは、予め指定された時間が到来すると再生される。
【０００３】
デジタル放送の多重化放送は、国際標準であるＩＳＯ／ＩＥＣ　１３８１８−１により規定されているＭＰＥＧ−２規格に準拠したトランスポートストリーム（以下、「ＴＳ」という。）により伝送される。
図１１に従来のトランスポートストリームの構成を示す。ＴＳは、ＴＳパケットと呼ばれる１８８バイトの複数の固定長のパケットから構成されている。各ＴＳパケットは、ヘッダ部とペイロード部から構成される。
【０００４】
ペイロード部には、映像データ、音声データ等の伝送対象となるデータが格納される。また、ペイロード部の前のヘッダ部にはペイロード部（アダプテーションフィールドデータバイト）に格納されるデータの種類を識別する情報、ＰＣＲ（Ｐｒｏｇｒａｍ　Ｃｌｏｃｋ　Ｒｅｆｅｒｅｎｃｅ）、ＰＴＳ（Ｐｒｅｓｅｎｔａｔｉｏｎ　Ｔｉｍｅ　Ｓｔａｍｐ）、ＤＴＳ（Ｄｅｃｏｄｉｎｇ　Ｔｉｍｅ　Ｓｔａｍｐ）等の情報が格納される。
【０００５】
ここで、ＰＣＲとは、デジタル放送受信装置側の基準時刻となるＳＴＣ（Ｓｙｓｔｅｍ　Ｔｉｍｅ　Ｃｌｏｃｋ）を放送装置側の基準時刻であるシステムクロックに同期させるように再設定するための時刻情報であり、放送装置側からＴＳに格納されて一定間隔で送られる基準時刻情報のことをいう。
ＳＴＣとは、デジタル放送受信装置側の基準クロックにより一定周期で時刻カウントされる、デジタル放送受信装置側の基準時刻となる時刻カウント値のことをいい、カウントされた時刻カウント値は、周期的に受信されるＰＣＲによって再設定される。
【０００６】
ＰＴＳは、ＴＳパケットのヘッダ部に含まれ、映像データや音声データの再生時刻をＳＴＣの時刻カウント値で示した値であり、複数の映像データや音声データ等のＴＳパケットから構成されるＰＥＳ（Ｐａｃｋｅｔｉｚｅｄ　Ｅｌｅｍｅｎｔａｒｙ　Ｓｔｒｅａｍ）パケット毎にＰＴＳが与えられる。
ＤＴＳは、ＴＳパケットのヘッダ部に含まれ、映像データや音声データの復号時刻をＳＴＣの時刻カウント値で示した値であり、ＰＥＳパケット毎にＤＴＳが与えられる。
【０００７】
図１２は、従来のデジタル放送受信装置９００の構成を示す機能ブロック図である。
従来のデジタル放送受信機９００は、復調部９０１、デスクランブル部９０２、分離部９０３、ＳＴＣ生成部９０４、映像デコーダ部９０５、音声デコーダ部９０６から構成される。
【０００８】
復調部９０１は、放送局より送信されるＴＳを含む放送波をアンテナを介して受信し、ＴＳを復調する。
デスクランブル部９０２は、ＴＳのデスクランブルを行う。
分離部９０３は、ＴＳからＰＣＲの抽出を行い、抽出したＰＣＲをＳＴＣ生成部９０４に出力し、又、映像データのＰＥＳパケット（以下、「映像ＰＥＳパケット」という。）、音声データのＰＥＳパケット（以下、「音声ＰＥＳパケット」という。）の分離を行い、分離した映像ＰＥＳパケット、音声ＰＥＳパケットをそれぞれ映像デコーダ部９０５、音声デコーダ部９０６に出力する。
【０００９】
ＳＴＣ生成部９０４は、所定の周波数（例えば２７ＭＨｚ）のマスタークロックより生成されるシステムタイムクロックを有し、一定周期で時刻カウント値をカウントし、分離部９０３よりＰＣＲが出力された場合には、時刻カウント値を当該ＰＣＲの示す時刻カウント値に再設定することにより、時刻カウント値が放送装置側の基準システムクロックに同期した値を示すように調整することにより、ＳＴＣを生成する。
【００１０】
映像デコーダ部９０５は、分離部９０３から出力された映像ＰＥＳパケットをデコードし、ＳＴＣ生成部９０４の生成するＳＴＣと、デコードした映像ＰＥＳパケットに含まれるＤＴＳ、ＰＴＳとを比較し、ＳＴＣの示す時刻カウント値がＤＴＳ、ＰＴＳと一致すると、映像の復号、再生を行う。
音声デコーダ部９０６は、分離部９０３から出力された音声ＰＥＳパケットをデコードし、ＳＴＣ生成部９０４の生成するＳＴＣと、デコードした音声ＰＥＳパケットに含まれるＤＴＳ、ＰＴＳとを比較し、ＳＴＣの示す時刻カウント値がＤＴＳ、ＰＴＳと一致すると、音声の復号、再生を行う。
【００１１】
このように、デジタル放送においては、予め映像ＰＥＳパケットのＤＴＳ、ＰＴＳと音声ＰＥＳパケットのＤＴＳ、ＰＴＳとを一致するように設定しておくことにより、受信した映像データと音声データとを同期させて再生することができる。
【００１２】
【発明が解決しようとする課題】
一方、デジタル放送に一度に多重できるデータ量には、限界があり、視聴者の放送に対する多様なニーズに答えてゆくためには、放送番組を構成するデータの一部を事前に視聴者に提供し、提供されたデータをデジタル放送から受信した映像データ等と同期させて再生することが必要となる場合がある。
【００１３】
例えば、映画を視聴者のニーズに合わせて多国語で放送する場合、全ての言語の音声データをデジタル放送で一度に伝送することは、困難であり、一部の音声データを、ＣＤ−ＲＯＭ、ＤＶＤ等の記録媒体やインターネット等により、視聴者に事前に提供することが必要となる。
しかしながら、従来のデジタル放送では、放送時にリアルタイムでＴＳにＰＣＲ、ＰＴＳ、ＤＴＳを付加して送出しているため、放送より前にＰＥＳパケットストリームを準備する際、放送のＰＣＲと同期したＰＴＳを付加できないため、放送から受信したＰＥＳパケットストリームと、別に蓄積メディア、インターネット等により送付されたＰＥＳパケットストリームとを同期させて再生することができないという問題がある。
【００１４】
又、予め事前に視聴者に提供するＰＥＳパケットストリームを構成する各ＰＥＳパケットにＰＴＳ、ＤＴＳを付加しておいても、対象となる番組の放送時間が放送局側の都合で変更された場合には、当該番組の放送される時間帯に同期させて各ＰＥＳパケットの再生ができなくなるという問題が生じる。
そこで、本発明は、デジタル放送から受信したＰＥＳパケットストリームと事前に取得されたＰＥＳパケットストリームとの同期再生を可能とするデジタル放送システムを提供することを目的とする。
【００１５】
【課題を解決するための手段】
上記課題を解決するために、本発明は、放送装置と、一定周期で時刻をカウントする、第１及び第２時刻カウンタを含む放送受信装置とから構成されるデジタル放送システムであって、前記放送装置は、各瞬時において前記第１及び第２時刻カウンタの各カウント値を再設定するための第１及び第２時刻カウント基準値と、第１コンテンツと、第１コンテンツの再生時刻を前記第１時刻カウンタのカウント値で示す第１再生カウント値とを含むトランスポートストリーム（ＴＳ）を継続して放送し、前記放送受信装置は、前記ＴＳを受信する受信手段と、第２コンテンツと第２コンテンツの再生時刻を前記第２時刻カウンタのカウント値で示す第２再生カウント値とを取得する取得手段と、前記第１時刻カウンタのカウント値が前記第１再生カウント値に達した場合に、第１コンテンツを再生する第１コンテンツ再生手段と、前記第２時刻カウンタのカウント値が前記第２再生カウント値に達した場合に、第２コンテンツを再生する第２コンテンツ再生手段とを有し、前記第１及び第２時刻カウンタは、前記第１及び第２時刻カウント基準値が受信される毎に、それぞれのカウント値を受信した前記第１及び第２時刻カウント基準値に再設定することを特徴とする。
【００１６】
又、本発明は、一定周期で時刻をカウントする、第１及び第２時刻カウンタを含む放送受信装置であって、各瞬時において前記第１及び第２時刻カウンタの各カウント値を再設定するための第１及び第２時刻カウント基準値と、第１コンテンツと、第１コンテンツの再生時刻を前記第１時刻カウンタのカウント値で示す第１再生カウント値とを含むトランスポートストリーム（ＴＳ）を受信する受信手段と、第２コンテンツと、第２コンテンツの再生時刻を前記第２時刻カウンタのカウント値で示す第２再生カウント値とを取得する取得手段と、
前記第１時刻カウンタのカウント値が前記第１再生カウント値に達した場合に、第１コンテンツを再生する第１コンテンツ再生手段と、前記第２時刻カウンタのカウント値が前記第２再生カウント値に達した場合に、第２コンテンツを再生する第２コンテンツ再生手段とを備え、前記第１及び第２時刻カウンタは、前記第１及び第２時刻カウント基準値が受信される毎に、それぞれのカウント値を受信された前記第１及び第２時刻カウント基準値に再設定することを特徴とすることができる。
【００１７】
【発明の実施の形態】
（実施の形態１）
以下、本発明の実施の形態について説明する。
図１は、デジタル放送システム１００の構成を示す機能ブロック図である。デジタル放送システム１００は、放送装置２００と放送受信装置３００とから構成される。
【００１８】
放送装置２００は、コンテンツ記憶部２０１、第１ＰＥＳ生成部２０２、ＰＥＳ蓄積部２０３、通信モジュール部２０４、サーバ２０５、第２ＰＥＳ生成部２０６、送出部２０７から構成される。
コンテンツ記憶部２０１は、放送番組のコンテンツを構成する映像データ、多国語（日本語、英語、韓国語、中国語等）音声データ及び映像付加データ（スペイン語字幕データ、フランス語字幕データ等の字幕データ）を記憶している。
【００１９】
第１ＰＥＳ生成部２０２は、コンテンツ記憶部２０１から韓国語音声データ、中国語音声データ及び映像付加データを読出し、読み出した各データを圧縮符号化し、各言語の音声ＰＥＳパケット、及び映像付加データのＰＥＳパケット（以下、「付加ＰＥＳパケット」という。）を生成し、生成した各ＰＥＳパケットにＤＴＳ及びＰＴＳを付加して蓄積部２０３に記憶させる。
【００２０】
ここで、上記ＰＴＳ、ＤＴＳは、ＳＴＣの代わりに後述するＴＳＴＣの時刻カウント値でそれぞれ付加される。
図２は、第１ＰＥＳ生成部２０２の構成を示す機能ブロック図である。第１ＰＥＳ生成部２０２は、映像エンコーダ部２１２、音声エンコーダ部２２２、タイミング生成部２３２、ＰＥＳ作成部２４２から構成される。
【００２１】
映像エンコーダ部２１２は、映像付加データをコンテンツ記憶部２０１から読出し、圧縮符号化し、ＰＥＳ作成部２４２に出力する。
音声エンコーダ部２２２は、韓国語音声データ及び中国語音声データをコンテンツ記憶部２０１から読出し、圧縮符号化し、ＰＥＳ作成部２４２に出力する。
ＰＥＳ作成部２４２は、映像エンコーダ部２１２から入力される映像付加データを順次パケット化して映像付加ＰＥＳパケットを生成し、生成した各映像付加ＰＥＳパケットにタイミング生成部２３２の有する、クロックが順次生成する時刻カウント値（後述するＴＳＴＣ）をＤＴＳ、ＰＴＳとして生成した各映像付加ＰＥＳパケットに付加し、蓄積部２０３に記憶させる。
【００２２】
ＤＴＳ及びＰＴＳには、所定の初期時刻カウント値（放送番組の放送開始時間に遅延時間を加えた時刻カウント値）を初期値として、順次タイミング生成部２３２によって生成された時刻カウント値が与えられる。
又、ＰＥＳ作成部２４２は、音声エンコーダ部２２２から入力される韓国語音声データ及び中国語音声データについても映像付加データの場合と同様の処理を行い、ＤＴＳとＰＴＳを付加した各言語の音声ＰＥＳパケットを生成し、蓄積部２０３に記憶させる。
【００２３】
なお、映像付加ＰＥＳパケットと各言語の音声ＰＥＳパケットを後述するＣＤ−ＲＯＭ、ＤＶＤ、メモリカード等の、放送受信装置３００に実装される蓄積メディア３１１に記憶させることとしてもよい。
タイミング生成部２３２は、所定の周波数（例えば２７ＭＨｚ）のマスタークロックから生成されるクロックを有し、後述するＴＳＴＣで示される、年月日及び時刻を示す時刻カウント値を生成する。
【００２４】
蓄積部２０３は、第１ＰＥＳ生成部２０２によって生成された各ＰＥＳパケットを記憶する。
通信モジュール部２０４は、蓄積部２０３に記憶されている各ＰＥＳパケット（以下、「事前取得ＰＥＳパケット」という。）をサーバ２０５に出力する。
なお、通信モジュール部２０４は、事前取得ＰＥＳパケットを送出部２０７に出力することとしてもよい。
【００２５】
サーバ２０５は、通信モジュール部２０４より入力された事前取得ＰＥＳパケットをインターネットを介して放送受信装置３００に送信する。
第２ＰＥＳ生成部２０６は、コンテンツ記憶部２０１から映像データ、日本語音声データ及び英語音声データを読出し、読み出した各データを圧縮符号化し、映像ＰＥＳパケット、各言語の音声ＰＥＳパケットを生成し、生成した各ＰＥＳパケットにＤＴＳ及びＰＴＳを付加して、送出部２０７に出力する。
【００２６】
なお、上記各ＰＥＳパケットに付加されるＤＴＳ及びＰＴＳは、ＳＴＣの時刻カウント値で与えられる。
図３は、第２ＰＥＳ生成部２０６によって生成される各ＰＥＳパケットの構成の概念図を示す図である。
ＰＥＳパケットはヘッダ部とペイロード部から構成され、このヘッダ部にＤＴＳ及びＰＴＳが含められ、ペイロード部に各種データが含められる。
【００２７】
送出部２０７は、第２ＰＥＳ生成部２０６から入力された映像ＰＥＳパケット、各言語の音声ＰＥＳパケット（以下、両ＰＥＳパケットを合わせて放送ＰＥＳパケットという。）を分割して、ＴＳパケットを生成し、生成したＴＳパケットのヘッダ部に周期的にＰＣＲとＴＩＭＥを挿入してＴＳをアンテナ２０８を介して放送する。
【００２８】
なお、通信モジュール部２０４より、事前取得ＰＥＳパケットが入力された場合には、送出部２０７は、当該ＰＥＳパケットを分割してＴＳパケットを生成し、生成したＴＳパケットを、放送ＰＥＳパケットを放送する前に予めデータ放送する。
ここで、「ＴＩＭＥ」とは、事前取得ＰＥＳパケットの復号及び再生時刻が到来したか否かの判定基準となる、放送受信装置３００のＴＳＴＣ生成部３０９の生成する時刻カウント値（後述するＴＳＴＣ）を、放送装置２００のタイミング生成部２３２の生成する時刻カウント値に同期させるように再設定するための、年月日及び時刻を示す時刻カウント値のことをいい、予め所定の時刻カウント値に初期値が設定され、タイミング生成部２３２の有するクロックによって周期的に時刻がカウントされて、ＴＳを介して一定間隔で送られる時刻カウント値のことをいう。
【００２９】
例えば、対象放送番組が放送予定時間通りに放送される場合には、ＴＩＭＥはＰＣＲと一致するように初期値が設定され、３０分遅れで放送される場合には、ＰＣＲよりも３０分遅れた時刻カウント値を示すように初期値が設定される。
このように、ＴＩＭＥの時刻カウント値を調整することにより、対象放送番組の放送時刻が変更された場合においても、事前取得ＰＥＳに付加したＤＴＳ、ＰＴＳの示す復号及び再生時刻を、放送受信装置３００に受信された放送ＰＥＳパケットに付加したＤＴＳ、ＰＴＳの示す復号及び再生時刻と同期させることが可能となる。
【００３０】
図４は、送出部２０７によって生成されるＴＳの構成を示す概念図である。図４において、ＰＥＳ１、ＰＥＳ２、ＰＥＳ３は各ＰＥＳパケットを構成する構成要素を含むＴＳパケットを示している。例えば、ＰＥＳ１は、ＰＥＳ１パケットを構成するＴＳパケットを示している。各ＴＳパケットは、ヘッダ部とペイロード部から構成され、ＰＣＲ及びＴＩＭＥは、図４に示すようにヘッダ部に埋め込まれている。
【００３１】
次に放送受信装置３００について説明する。
図５は、放送受信装置３００の構成を示す機能ブロック図である。
放送受信装置３００は、復調部３０１、スイッチ部３０２、デスクランブル部３０３、分離部３０４、映像デコーダ部３０５、通信モジュール部３０６、蓄積部３０７、ＳＴＣ生成部３０８、ＴＳＴＣ生成部３０９、時刻情報切替部３１０、蓄積メディア３１１、音声切替部３１２、音声デコーダ部３１３、制御部３１４、入力部３１５から構成される。
【００３２】
復調部３０１は、アンテナを介して受信されたＴＳを含む放送波を復調し、スイッチ部３０２に出力する。
スイッチ部３０２は、復調部３０１又は蓄積部３０７から入力されたＴＳの出力先を切り替える。
デスクランブル部３０３は、スイッチ部３０２から入力されたＴＳのデスクランブルを行い、分離部３０４に出力する。
【００３３】
分離部３０４は、デスクランブル部３０３から入力されたＴＳからＰＣＲとＴＩＭＥを抽出し、抽出したＰＣＲをＳＴＣ生成部３０８に出力し、抽出したＴＩＭＥをＴＳＴＣ部３０９に出力する。
又、分離部３０４は、ＴＳから映像ＰＥＳパケット、日本語音声ＰＥＳパケット及び英語ＰＥＳパケットを分離し、分離した映像ＰＥＳパケットを映像デコーダ部３０５に出力し、分離した日本語音声ＰＥＳパケットと英語音声ＰＥＳパケットを音声切替部３１２に出力する。
【００３４】
映像デコーダ部３０５は、分離部３０４から入力された映像ＰＥＳパケットをデコードし、映像ＰＥＳパケットに含まれるＤＴＳ、ＰＴＳの示す各時刻カウント値とＳＴＣ生成部３０８から入力されたＳＴＣの示す時刻カウント値とを比較し、ＤＴＳの示す時刻カウント値がＳＴＣの示す時刻カウント値と一致したとき、映像ＰＥＳパケットの復号を行い、ＰＴＳの示す時刻カウント値とＳＴＣの示す時刻カウント値が一致したとき、映像ＰＥＳパケットの再生を行う。
【００３５】
通信モジュール部３０６は、放送部２００のサーバ２０５からインターネットを介して送信された事前取得ＰＥＳパケットを受信し、受信した事前取得ＰＥＳパケットを蓄積部３０７に出力する。
なお、事前取得ＰＥＳパケットがインターネットを介して送信する代わりに、放送装置２００の送出部２０７からＴＳに多重化されて送信された場合には、分離部３０４で事前取得ＰＥＳパケットを分離し、制御部３１４が分離された事前取得ＰＥＳパケットを蓄積部３０７に出力する。
【００３６】
又、事前取得ＰＥＳパケットをＣＤ−ＲＯＭ、ＤＶＤ等の蓄積メディア３１１に記憶させておいてもよい。
蓄積部３０７は、スイッチ部３０２から入力されたＴＳ及び通信モジュール３０６より入力された事前取得ＰＥＳパケットを記憶する。
ＳＴＣ生成部３０８は、微調整できる所定の周波数（例えば２７ＭＨｚ）のマスタークロックから生成したシステムタイムクロックを有し、一定周期で時刻カウント値をカウントし、分離部３０４よりＰＣＲが出力された場合には、カウントされた時刻カウント値と当該ＰＣＲの示す時刻カウント値とを比較し、その誤差が所定の範囲内であれば、誤差を補正するようにマスタークロックを微調整し、所定の範囲を超える場合には時刻カウント値を当該ＰＣＲの示す時刻カウント値に再設定することにより、時刻カウント値が放送装置２００の基準システムクロックに同期した時刻カウント値を示すように調整することによりＳＴＣを生成する。
【００３７】
ＳＴＣ生成部３０８は、生成したＳＴＣを時刻情報切替部３１０及び映像デコード部３０５に出力する。
ＴＳＴＣ生成部３０９は、ＳＴＣ生成部３０８がシステムクロックを生成するのに用いた上記マスタークロックから生成した年月日及び時刻を示すクロックを有し、一定周期で時刻カウント値をカウントし、分離部３０４よりＴＩＭＥが出力された場合には、カウントされた時刻カウント値と当該ＴＩＭＥの示す時刻カウント値とを比較し、その誤差が所定の範囲内であれば、誤差を補正するようにマスタークロックを微調整し、所定の範囲を超える場合には時刻カウント値を当該ＴＩＭＥの示す時刻カウント値に再設定することにより、時刻カウント値が放送装置２００のタイミング生成部２３２の有するクロックに同期した時刻カウント値を示すように調整することによりＴＳＴＣを生成する。
【００３８】
ここで、ＴＳＴＣとは、ＴＳＴＣ生成部３０９により一定周期で時刻がカウントされ、放送受信装置３００における事前取得ＰＥＳの復号及び再生時刻が到来したか否かの判定基準となる、年月日及び時刻を示す時刻カウント値のことをいい、カウントされた時刻カウント値は、周期的に受信されるＴＩＭＥによって再設定される。
【００３９】
ＴＳＴＣ生成部３０９は、上記ＴＳＴＣ生成処理により生成したＴＳＴＣを時刻情報切替部３１０に出力する。
時刻情報切替部３１０は、制御部３１４からの指示に応じてＳＴＣとＴＳＴＣの何れかを音声デコーダ部３１３に出力する。
音声切替部３１２は、制御部３１４からの指示に応じて、音声デコーダ３１３に出力する音声ＰＥＳパケットを選択し、選択した音声ＰＥＳパケットを音声デコーダ部３１３に出力する。
【００４０】
音声デコーダ部３１３は、音声切替部３１２から入力された音声ＰＥＳパケットをデコードし、音声ＰＥＳパケットに含まれるＤＴＳ、ＰＴＳの示す各時刻カウント値と時刻情報切替部３１０から入力されたＳＴＣ又はＴＳＴＣの示す時刻カウント値とを比較し、ＤＴＳの示す時刻カウント値がＳＴＣ又はＴＳＴＣの示す時刻カウント値と一致したとき、音声ＰＥＳの復号を行い、ＰＴＳの示す時刻カウント値とＳＴＣ又はＴＳＴＣの示す時刻カウント値が一致したとき、音声ＰＥＳの再生を行う。
【００４１】
制御部３１４は、蓄積部３０７に記憶されているＴＳ又は事前取得ＰＥＳパケットの出力処理、時刻情報の出力切替処理、及び音声ＰＥＳの出力切替処理を行う。
最初に出力処理について説明する。制御部３１４は、入力部３１５からユーザーのＴＳ再生指示を受取ると、蓄積部３０７より記憶されているＴＳを読出し、スイッチ部３０２を介してＴＳをデスクランブル部３０３に出力する。
【００４２】
次に時刻情報の出力切替処理について説明する。制御部３１４は、入力部３１５よりユーザーからの通常音声選択指示を受取ると、時刻情報切替部３１０にＳＴＣの出力を指示し、入力部３１５よりユーザーからの副音声選択指示を受取ると、時刻情報切替部３１０にＴＳＴＣの出力を指示する。
次に音声ＰＥＳパケットの出力切替処理について説明する。制御部３１４は、入力部３１５よりユーザーからの通常音声選択指示を受取ると、音声切替部３１２に日本語音声ＰＥＳパケット及び英語ＰＥＳパケットの出力を指示し、入力部３１５よりユーザーからの副音声選択指示を受取ると、蓄積部３０７又は蓄積メディア３１１から韓国語音声ＰＥＳパケット又は中国語音声ＰＥＳパケット（以下、両言語音声ＰＥＳパケットを「事前取得音声パケット」という。）を読出し、音声切替部３１２に出力し、音声切替部３１２に、入力した音声ＰＥＳの出力を指示する。
【００４３】
入力部３１５は、ユーザーからの指示を受取る。
＜動作＞
次に、放送受信装置３００が行う放送ＰＥＳパケットと事前取得音声ＰＥＳパケットの同期再生処理について説明する。図６は、放送受信装置３００が行う上記同期再生処理を示すフローチャートである。
【００４４】
分離部３０４は、デスクランブル部３０３から入力されたＴＳからＰＣＲとＴＩＭＥを抽出すると（ステップＳ１００１）、抽出したＰＣＲとＴＩＭＥをＳＴＣ生成部３０８とＴＳＴＣ生成部３０９にそれぞれ出力する。
ＳＴＣ生成部３０８は、出力されたＰＣＲに基いて、カウントした時刻カウント値を調整することによりＳＴＣを生成し（ステップＳ１００２）、生成したＳＴＣを時刻情報切替部３１０と映像デコーダ部３０５に出力し、ＴＳＴＣ生成部３０９は、出力されたＴＩＭＥに基いて、カウントした時刻カウント値を調整することによりＴＳＴＣを生成し（ステップＳ１００７）、生成したＴＳＴＣを時刻情報切替部３１０に出力する。
【００４５】
ユーザーからの音声選択指示が通常音声選択指示である場合（ステップＳ１００３）、時刻情報切替部３１０は、入力されたＳＴＣを音声デコーダ部３１３に出力し（ステップＳ１００４）、映像デコーダ部３０５は、分離部３０４から入力された映像ＰＥＳパケットに含まれる各ＤＴＳ、ＰＴＳの示す時刻カウント値とＳＴＣ生成部３０８から入力されたＳＴＣの時刻カウント値とが一致するか否かを判定し、音声デコーダ部３１３は、音声切替部３１２から入力された音声ＰＥＳパケットに含まれる各ＤＴＳ、ＰＴＳの示す時刻カウント値と時刻情報切替部３１０から入力されたＳＴＣの時刻カウント値とが一致するか否かを判定し、（ステップＳ１００５）、一致する場合に（ステップＳ１００５：Ｙ）、映像デコーダ部３０５と音声デコーダ部３１３は、それぞれ映像ＰＥＳパケット、音声ＰＥＳパケットを再生し、これにより、受信された放送ＰＥＳパケットを構成する映像ＰＥＳパケットと音声ＰＥＳパケットが同期再生される（ステップＳ１００６）。
【００４６】
ユーザーからの音声選択指示が副音声選択指示である場合（ステップＳ１００３）、時刻情報切替部３１０は、入力されたＴＳＴＣを音声デコーダ部３１３に出力し（ステップＳ１００８）、映像デコーダ部３０５は、分離部３０４から入力された映像ＰＥＳパケットに含まれる各ＤＴＳ、ＰＴＳの示す時刻カウント値とＳＴＣ生成部３０８から入力されたＳＴＣの時刻カウント値とが一致するか否かを判定し、音声デコーダ部３１３は、音声切替部３１２から入力された事前取得音声ＰＥＳパケットに含まれる各ＤＴＳ、ＰＴＳの示す時刻カウント値と時刻情報切替部３１０から入力されたＴＳＴＣの時刻カウント値とが一致するか否かを判定し、（ステップＳ１００９）、一致する場合に（ステップＳ１００９：Ｙ）、映像デコーダ部３０５と音声デコーダ部３１３は、それぞれ映像ＰＥＳパケット、事前取得音声ＰＥＳパケットを再生し、これにより、受信された放送ＰＥＳパケットの構成要素である映像ＰＥＳパケットと事前取得ＰＥＳパケットに含まれる韓国語音声ＰＥＳパケット又は中国語音声ＰＥＳパケットが同期再生される（ステップＳ１０１０）。
（実施の形態２）
実施の形態１においては、放送装置２００から放送された映像ＰＥＳパケットを放送受信装置３００が受信し、事前取得ＰＥＳパケットに含まれる音声ＰＥＳパケットと同期再生する形態を示したが、本実施の形態においては、事前取得ＰＥＳパケットに含まれる付加ＰＥＳパケットと同期再生する実施形態を示す。
【００４７】
以下、実施の形態１におけるデジタル放送システム１００と同一の構成要素については、同一の番号を付し、相違点を中心に説明する。
＜構成＞
本実施の形態におけるデジタル放送システム４００は、放送装置２００と放送受信装置５００から構成される。
【００４８】
放送装置２００については、既に実施の形態１において説明済みであるので、説明を省略する。図７は、放送受信装置５００の構成を示す機能ブロック図である。
放送受信装置５００は、復調部３０１、スイッチ部３０２、デスクランブル部３０３、分離部３０４、映像デコーダ部４０５、通信モジュール部３０６、蓄積部３０７、ＳＴＣ生成部３０８、ＴＳＴＣ生成部４０９、時刻情報切替部３１０、蓄積メディア３１１、音声切替部３１２、音声デコーダ部３１３、制御部４１４、入力部３１５、副映像デコーダ部４１６、映像合成部４１７から構成される。
【００４９】
映像デコーダ部４０５は、映像デコーダ部３０５の機能に加え、再生した映像ＰＥＳパケットの示す映像を映像合成部４１７に出力する。
ＴＳＴＣ生成部４０９は、ＴＳＴＣ生成部３０９の機能に加え、生成したＴＳＴＣを副映像デコーダ部４１６に出力する。
制御部４１４は、制御部３１４の機能に加え、入力部３１５よりユーザーからの副映像表示指示を受取ると、蓄積部３０７又は蓄積メディア３１１から付加ＰＥＳパケットを読出し、副映像デコーダ部４１６に出力する。
【００５０】
副映像デコーダ部４１６は、制御部４１４から入力された付加ＰＥＳパケットをデコードし、付加ＰＥＳパケットに含まれるＤＴＳ、ＰＴＳの示す各時刻カウント値とＴＳＴＳ生成部４０９から入力されたＴＳＴＣの示す時刻カウント値とを比較し、ＤＴＳの示す時刻カウント値がＴＳＴＣの示す時刻カウント値と一致したとき、付加ＰＥＳパケットの復号を行い、ＰＴＳの示す時刻カウント値とＴＳＴＣの示す時刻カウント値が一致したとき、付加ＰＥＳパケットの再生を行い、再生した付加ＰＥＳパケットの示す字幕映像を合成部４１７に出力する。
【００５１】
映像合成部４１７は、映像デコーダ部４０５より入力された映像と副映像デコーダ部４１６より入力された字幕映像を合成し、合成した映像を出力する。
＜動作＞
次に、放送受信装置５００が行う放送ＰＥＳパケットと事前取得ＰＥＳパケットの同期再生処理について説明する。図８は、放送受信装置５００が行う上記同期再生処理を示すフローチャートである。
【００５２】
分離部３０４は、デスクランブル部３０３から入力されたＴＳからＰＣＲとＴＩＭＥを抽出すると（ステップＳ２００１）、抽出したＰＣＲとＴＩＭＥをＳＴＣ生成部３０８とＴＳＴＣ生成部４０９にそれぞれ出力する。
ＳＴＣ生成部３０８は、出力されたＰＣＲに基いて、生成したＳＴＣの時刻カウント値を調整することによりＳＴＣを生成し（ステップＳ２００２）、生成したＳＴＣを時刻情報切替部３１０と映像デコーダ部４０５に出力し、ＴＳＴＣ生成部４０９は、出力されたＴＩＭＥに基いて、生成したＴＳＴＣの時刻カウント値を調整することによりＴＳＴＣを生成し（ステップＳ２００７）、生成したＴＳＴＣを時刻情報切替部３１０と副映像デコーダ部４１６に出力する。
【００５３】
ユーザーからの選択指示が通常映像表示指示である場合（ステップＳ２００３）、時刻情報切替部３１０は、入力されたＳＴＣを音声デコーダ部３１３に出力し（ステップＳ２００４）、映像デコーダ部４０５は、分離部３０４、から入力された映像ＰＥＳパケットに含まれる各ＤＴＳ、ＰＴＳの示す時刻カウント値とＳＴＣ生成部３０８から入力されたＳＴＣとが一致するか否かを判定し、又、音声デコーダ部３１３は、音声切替部３１２より入力された音声ＰＥＳパケットに含まれる各ＤＴＳ、ＰＴＳの示す時刻カウント値と時刻情報切替部３１０から入力されたＳＴＣとが一致するか否かを判定し（ステップＳ２００５）、一致する場合に（ステップＳ２００５：Ｙ）、映像デコーダ部４０５は、映像ＰＥＳパケットを再生し、音声デコーダ部３１３は、音声ＰＥＳパケットを再生することにより、映像ＰＥＳパケットと音声ＰＥＳパケットを同期再生する（ステップＳ２００６）。
【００５４】
ユーザーからの選択指示が副映像表示指示である場合（ステップＳ２００３）、制御部４１４は、蓄積部３０７又は蓄積メディア３１１から付加ＰＥＳパケットを読出し、副映像デコーダ部４１６に出力し（ステップＳ２００８）、又、時刻情報切替部３１０は、ＳＴＣを音声デコーダ部３１３に出力し、映像デコーダ部４０５は、分離部３０４から入力された映像ＰＥＳパケットに含まれる各ＤＴＳ、ＰＴＳの示す時刻カウント値とＳＴＣ生成部３０８から入力されたＳＴＣの時刻カウント値とが一致するか否かを判定し、副映像デコーダ部４１６は、制御部４１４から入力された付加ＰＥＳパケットに含まれる各ＤＴＳ、ＰＴＳの示す時刻カウント値とＴＳＴＣ生成部４０９から入力されたＴＳＴＣの時刻カウント値とが一致するか否かを判定し、音声デコーダ部３１３は、音声切替部３１２から入力された音声ＰＥＳパケットに含まれる各ＤＴＳ、ＰＴＳの示す時刻カウント値と時刻情報切替部３１０から入力されたＳＴＣの時刻カウント値とが一致するか否かを判定し（ステップＳ２００９）、一致する場合に（ステップＳ２００９：Ｙ）、映像デコーダ部４０５と副映像デコーダ部４１６は、それぞれ映像ＰＥＳパケット、付加ＰＥＳパケットを再生して、映像及び字幕映像を映像合成部４１７に出力し（ステップＳ２０１０）、映像合成部４１７は、入力された映像と字幕映像を合成して出力し（ステップＳ２０１１）、音声デコーダ部３１３は、音声ＰＥＳパケットを再生し、出力する。
【００５５】
これにより、映像、字幕映像及び音声が同期再生されて出力される。
（実施の形態３）
本実施の形態は、放送装置２００から放送された音声ＰＥＳパケットを受信し、受信した音声ＰＥＳパケットにより構成されるラジオ放送と放送受信装置に事前に記憶された映像ＰＥＳパケットにより構成される映像とを同期再生する実施形態を示す。
【００５６】
以下、実施の形態１におけるデジタル放送システム１００と同一の構成要素については、同一の番号を付し、相違点を中心に説明する。
＜構成＞
本実施の形態におけるデジタル放送システム６００は、放送装置２００と放送受信装置７００から構成される。
【００５７】
放送装置２００については、既に実施の形態１において説明済みであるので、説明を省略する。図９は、放送受信装置７００の構成を示す機能ブロック図である。
放送受信装置７００は、復調部３０１、スイッチ部３０２、デスクランブル部３０３、分離部７０４、音声デコーダ部７０５、通信モジュール部３０６、蓄積部７０７、ＳＴＣ生成部７０８、ＴＳＴＣ生成部３０９、時刻情報切替部７１０、蓄積メディア７１１、映像切替部７１２、映像デコーダ部７１３、制御部７１４、入力部３１５から構成される。
【００５８】
分離部７０４は、ＴＳからラジオ放送を構成する音声ＰＥＳパケット、ＰＣＲ、ＴＩＭＥを分離し、分離した音声ＰＥＳパケットを音声デコーダ部７０５に出力し、ＰＣＲ、ＴＩＭＥをそれぞれＳＴＣ生成部７０８、ＴＳＴＣ生成部３０９に出力する。
なお、非ラジオ放送の場合には、分離部７０４は、上記に加え、ＴＳから放送を構成する映像ＰＥＳパケットを分離し、映像切替部７１２に出力する。
【００５９】
音声デコーダ部７０５は、分離部７０４から入力された音声ＰＥＳパケットをデコードし、音声ＰＥＳパケットに含まれるＤＴＳ、ＰＴＳの示す各時刻カウント値とＳＴＣ生成部７０８から入力されたＳＴＣの示す時刻カウント値とを比較し、ＤＴＳの示す時刻カウント値がＳＴＣの示す時刻カウント値と一致したとき、音声ＰＥＳパケットの復号を行い、ＰＴＳの示す時刻カウント値とＳＴＣの示す時刻カウント値が一致したとき、音声ＰＥＳパケットの再生を行う。
【００６０】
ＳＴＣ生成部７０８は、生成したＳＴＣを映像デコード部３０５に出力する代わりに音声デコード部７０５に出力する点において、ＳＴＣ生成部３０８と機能が異なる。
時刻情報切替部７１０は、制御部７１４からの指示に応じてＳＴＣとＴＳＴＣの何れかを映像デコーダ部７１３に出力する。
【００６１】
蓄積部７０７又は蓄積メディア７１１は、放送装置２００から放送されるラジオ放送と同期再生するための映像を構成する映像ＰＥＳパケット（以下、「選択映像ＰＥＳパケット」という。）を記憶している。
なお、蓄積部７０７は、蓄積部３０７の有する機能を合わせて有しており、蓄積メディア７１１は、蓄積メディア３１１の有する機能を合わせて有している。
【００６２】
映像切替部７１２は、制御部７１４からの指示に応じて、映像デコーダ部７１３に蓄積部７０７又は蓄積メディア７１１から、制御部７１４によって読み出された選択映像ＰＥＳパケットを映像デコーダ部７１３に出力する。
映像デコーダ部７１３は、制御部７１４から入力された映像ＰＥＳパケットをデコードし、映像ＰＥＳパケットに含まれるＤＴＳ、ＰＴＳの示す各時刻カウント値と時刻情報切替部７１０から入力されたＴＳＴＣの示す時刻カウント値とを比較し、ＤＴＳの示す時刻カウント値がＴＳＴＣの示す時刻カウント値と一致したとき、付加ＰＥＳパケットの復号を行い、ＰＴＳの示す時刻カウント値とＴＳＴＣの示す時刻カウント値が一致したとき、映像ＰＥＳパケットの再生する。
【００６３】
制御部７１４は、蓄積部７０７に記憶されているＴＳ又は事前取得ＰＥＳパケットの出力処理、時刻情報の出力切替処理、及び映像ＰＥＳの出力切替処理を行う。
最初に出力処理について説明する。制御部７１４は、入力部３１５からユーザーのＴＳ再生指示を受取ると、蓄積部７０７より記憶されているＴＳを読出し、スイッチ部３０２を介してＴＳをデスクランブル部３０３に出力する。
【００６４】
次に時刻情報の出力切替処理について説明する。制御部７１４は、入力部３１５よりユーザーからの通常映像表示指示を受取ると、時刻情報切替部７１０にＳＴＣの出力を指示し、入力部３１５よりユーザーからの選択映像表示指示を受取ると、時刻情報切替部３１０にＴＳＴＣの出力を指示する。
次に映像ＰＥＳパケットの出力切替処理について説明する。制御部７１４は、入力部３１５よりユーザーからの通常映像表示指示を受取ると、映像切替部７１２に分離部７０４によって分離された映像ＰＥＳパケットの出力を指示し、入力部３１５よりユーザーからの選択映像指示を受取ると、蓄積部３０７又は蓄積メディア３１１から選択映像ＰＥＳパケットを読出し、映像切替部７１２に出力し、映像切替部７１２に、読み出された選択映像ＰＥＳパケットの出力を指示する。
【００６５】
＜動作＞
次に、放送受信装置７００が行う放送ＰＥＳパケットと選択映像ＰＥＳパケットの同期再生処理について説明する。図１０は、放送受信装置７００が行う上記同期再生処理を示すフローチャートである。
分離部７０４は、デスクランブル部３０３から入力されたＴＳからＰＣＲとＴＩＭＥを抽出すると（ステップＳ３００１）、抽出したＰＣＲとＴＩＭＥをＳＴＣ生成部７０８とＴＳＴＣ生成部３０９にそれぞれ出力する。
【００６６】
ＳＴＣ生成部７０８は、出力されたＰＣＲに基いて、生成したＳＴＣの時刻カウント値を調整することによりＳＴＣを生成し（ステップＳ３００２）、生成したＳＴＣを時刻情報切替部７１０と音声デコーダ部７０５に出力し、ＴＳＴＣ生成部３０９は、出力されたＴＩＭＥに基いて、生成したＴＳＴＣの時刻カウント値を調整することにより生成し（ステップＳ３００７）、生成したＴＳＴＣを時刻情報切替部７１０に出力する。
【００６７】
ユーザーからの選択指示が通常映像表示指示である場合（ステップＳ３００３）、時刻情報切替部３１０は、入力されたＳＴＣを映像デコーダ部７１３に出力し、（ステップＳ３００４）、映像デコーダ部７１３は、映像切替部７１２から入力された映像ＰＥＳパケットに含まれる各ＤＴＳ、ＰＴＳの示す時刻カウント値と一致するか否かを判定し、又、音声デコーダ部７０５は、分離部７０４から入力された音声ＰＥＳパケットに含まれる各ＤＴＳ、ＰＴＳの示す時刻カウント値とＳＴＣ生成部７０８より入力されたＳＴＣの示す時刻カウント値とが一致するか否かを判定し（ステップＳ３００５）、一致する場合に（ステップＳ３００５：Ｙ）、映像デコーダ部７１３と音声デコーダ部７０５は、それぞれ映像ＰＥＳパケット、音声ＰＥＳパケットを再生することより、２つのＰＥＳパケットを同期再生する（ステップＳ３００６）。
【００６８】
ユーザーからの選択指示が選択映像表示指示である場合（ステップＳ３００３）、時刻情報切替部７１０は、制御部７１４の指示に応じてＴＳＴＣ生成部３０９より入力されたＴＳＴＣを映像デコーダ部７１３に出力し（ステップＳ３００８）、音声デコーダ部７０５は、分離部３０４から入力された音声ＰＥＳパケットに含まれる各ＤＴＳ、ＰＴＳの示す時刻カウント値とＳＴＣ生成部７０８から入力されたＳＴＣの時刻カウント値とが一致するか否かを判定し、映像デコーダ部７１３は、映像切替部７１２から入力された選択映像ＰＥＳパケットに含まれる各ＤＴＳ、ＰＴＳの示す時刻カウント値と時刻情報切替部７１０から入力されたＴＳＴＣとが一致するか否かを判定し（ステップＳ３００９）、一致する場合に（ステップＳ３００９：Ｙ）、音声デコーダ部７０５と映像デコーダ部７１３は、それぞれ音声ＰＥＳパケット、選択映像ＰＥＳパケットを同期再生する（ステップＳ３０１０）。
【００６９】
＜補足＞
以上、本発明に係るデジタル放送システムについて、実施の形態に基づいて説明したが、本発明はこれら実施の形態に限られないことは勿論である。
例えば、実施の形態１〜３において、受信されたＴＳは、スイッチ部３０２を介して直接デスクランブル部３０３に出力することとしてもよいし、一反、蓄積部３０７又は蓄積部７０７に記憶させてから、ＴＳを読出し、スイッチ部３０２を介してデスクランブル部３０３に出力することとしてもよい。
【００７０】
【発明の効果】
（１）本発明は、放送装置と、一定周期で時刻をカウントする、第１及び第２時刻カウンタを含む放送受信装置とから構成されるデジタル放送システムであって、前記放送装置は、各瞬時において前記第１及び第２時刻カウンタの各カウント値を再設定するための第１及び第２時刻カウント基準値と、第１コンテンツと、第１コンテンツの再生時刻を前記第１時刻カウンタのカウント値で示す第１再生カウント値とを含むトランスポートストリーム（ＴＳ）を継続して放送し、前記放送受信装置は、前記ＴＳを受信する受信手段と、第２コンテンツと第２コンテンツの再生時刻を前記第２時刻カウンタのカウント値で示す第２再生カウント値とを取得する取得手段と、前記第１時刻カウンタのカウント値が前記第１再生カウント値に達した場合に、第１コンテンツを再生する第１コンテンツ再生手段と、前記第２時刻カウンタのカウント値が前記第２再生カウント値に達した場合に、第２コンテンツを再生する第２コンテンツ再生手段とを有し、前記第１及び第２時刻カウンタは、前記第１及び第２時刻カウント基準値が受信される毎に、それぞれのカウント値を受信した前記第１及び第２時刻カウント基準値に再設定することを特徴とする。
（２）又、本発明は、一定周期で時刻をカウントする、第１及び第２時刻カウンタを含む放送受信装置であって、各瞬時において前記第１及び第２時刻カウンタの各カウント値を再設定するための第１及び第２時刻カウント基準値と、第１コンテンツと、第１コンテンツの再生時刻を前記第１時刻カウンタのカウント値で示す第１再生カウント値とを含むトランスポートストリーム（ＴＳ）を受信する受信手段と、第２コンテンツと、第２コンテンツの再生時刻を前記第２時刻カウンタのカウント値で示す第２再生カウント値とを取得する取得手段と、前記第１時刻カウンタのカウント値が前記第１再生カウント値に達した場合に、第１コンテンツを再生する第１コンテンツ再生手段と、前記第２時刻カウンタのカウント値が前記第２再生カウント値に達した場合に、第２コンテンツを再生する第２コンテンツ再生手段とを備え、前記第１及び第２時刻カウンタは、前記第１及び第２時刻カウント基準値が受信される毎に、それぞれのカウント値を受信された前記第１及び第２時刻カウント基準値に再設定することとしてもよい。
【００７１】
又、（１）において、前記第１及び第２時刻カウント基準値は、所定の周波数のクロックにより、同一周期で時刻カウントされるカウント値であることとしてもよい。
これにより、受信装置側における第１及び第２コンテンツの再生時刻を、第１及び第２時刻カウント基準値に基いて、放送装置側の時刻カウントに同期するように調整することができるので、２つのコンテンツが別々の受信ルートで放送受信装置に取得された場合においても、第１及び第２再生カウント値を放送装置側の時刻カウントによって対応付けて設定しておくことにより、２つのコンテンツを同期させて再生させることができる。
【００７２】
又、（１）において、前記放送装置は、前記ＴＳを放送する前に、前記第２コンテンツと前記第２再生カウント値とを含むＴＳをデータ放送し、前記取得手段は、取得した前記第２コンテンツと前記第２再生カウント値とを記憶領域に記録する記録手段を有することとしてもよい。
又、（２）において、前記受信手段は、データ放送された前記第２コンテンツと前記第２再生カウント値とを含むＴＳを受信し、前記取得手段は、取得した前記第２再生カウント値と前記第２コンテンツとを記憶領域に記録する記録手段を有することとしてもよい。
【００７３】
これにより、データ放送を有効に活用して、デジタル放送で同期再生すべき一方のコンテンツを事前に送信しておくことができるので、一度に多量のデータを多重して放送することなく、視聴者のニーズに合わせて２つのコンテンツ（例えば、映画とそれに対応する母国語音声）を同期させて再生することができる。
又、（１）において、前記放送装置は、インターネットを介して前記第２コンテンツと前記第２再生カウント値とを送信する送信手段を有し、前記取得手段は、前記送信手段から送信された前記第２コンテンツと前記第２再生カウント値とを受信するインターネット受信手段と、受信された前記第２再生カウント値と前記第２コンテンツを記憶する記憶手段とを有することとしてもよい。
【００７４】
又、（２）において、前記取得手段は、インターネットを介して送信された前記第２コンテンツと前記第２再生カウント値とを受信するインターネット受信手段と、受信された前記第２再生カウント値と前記第２コンテンツを記憶する記憶手段とを備えることとしてもよい。
これにより、インターネットを介して、デジタル放送で同期再生すべき一方のコンテンツを事前に送信しておくことができるので、一度に多量のデータを多重して放送することなく、視聴者のニーズに合わせて２つのコンテンツ（例えば、映画とそれに対応する母国語音声）を同期させて再生することができる。
【００７５】
又、（１）において、＜請求項４＞、＜請求項１２＞の構成としてもよい。
これにより、記録媒体に、デジタル放送で同期再生すべき一方のコンテンツを事前に記録しておくことができるので、一度に多量のデータを多重して放送することなく、視聴者のニーズに合わせて２つのコンテンツ（例えば、映画とそれに対応する母国語音声）を同期させて再生することができる。
【００７６】
又、（１）において、前記受信手段は、前記ＴＳを記憶領域に記録する記録手段を有し、前記第１コンテンツ再生手段は、前記記憶領域から前記第１再生カウント値と第１コンテンツを読出し、前記第１時刻カウンタのカウント値が前記第１再生カウント値に達した場合に、第１コンテンツを再生することとしてもよい。
又、（２）において、前記受信手段は、前記ＴＳを記憶領域に記録する記録手段を有し、前記第１コンテンツ再生手段は、前記記憶領域から前記第１再生カウント値と第１コンテンツを読出し、前記第１時刻カウンタのカウント値が前記第１再生カウント値に達した場合に、第１コンテンツを再生することとしてもよい。
【００７７】
これにより、デジタル放送された第１コンテンツを記録しておくことができるので、ユーザーは、所望のタイミングで記録した第１コンテンツと第２コンテンツを同期再生させることができる。
又、（１）において、前記第１及び第２コンテンツはそれぞれ異なる映像を示すコンテンツであり、前記放送受信装置は、さらに再生した第１及び第２コンテンツの示す各映像を同一画面に合成して出力する合成出力手段を備えることとしてもよい。
【００７８】
又、（２）において、前記第１及び第２コンテンツはそれぞれ異なる映像を示すコンテンツであり、前記放送受信装置は、さらに再生した第１及び第２コンテンツの示す各映像を同一画面に合成して出力する合成出力手段を備えることとしてもよい。
これにより、２つの映像コンテンツを同期させて合成表示させることができるので、例えば、映画放送に視聴者の母国語の字幕を合成表示させることができる。
【００７９】
又、（１）において、前記第１コンテンツは音声を再生するためのコンテンツであり、前記第２コンテンツは、映像を示すコンテンツであることとしてもよい。
又、（２）において、前記第１コンテンツは音声を再生するためのコンテンツであり、前記第２コンテンツは、映像を示すコンテンツであることとしてもよい。
【００８０】
これにより、音声放送に静止画などの映像コンテンツを挿入することができる。
【図面の簡単な説明】
【図１】デジタル放送システム１００の構成を示す機能ブロック図である。
【図２】第１ＰＥＳ生成部２０２の構成を示す機能ブロック図である。
【図３】第２ＰＥＳ生成部２０６によって生成される各ＰＥＳパケットの構成の概念図を示す図である。
【図４】送出部２０７によって生成されるＴＳの構成を示す概念図である。
【図５】放送受信装置３００の構成を示す機能ブロック図である。
【図６】放送受信装置３００が行う上記同期再生処理を示すフローチャートである。
【図７】放送受信装置５００の構成を示す機能ブロック図である。
【図８】放送受信装置５００が行う上記同期再生処理を示すフローチャートである。
【図９】放送受信装置７００の構成を示す機能ブロック図である。
【図１０】放送受信装置７００が行う上記同期再生処理を示すフローチャートである。
【図１１】従来のトランスポートストリームの構成を示す。
【図１２】従来のデジタル放送受信装置９００の構成を示す機能ブロック図である。
【符号の説明】
１００　デジタル放送システム
２００　放送装置
２０１　コンテンツ記憶部
２０２　第１ＰＥＳ生成部
２０３　蓄積部
２０４　通信モジュール部
２０５　サーバ
２０６　第２ＰＥＳ生成部
２０７　送出部
２０８　アンテナ
２１２　映像エンコーダ部
２２２　音声エンコーダ部
２３２　タイミング生成部
２４２　ＰＥＳ作成部
３００、５００、７００、９００　放送受信装置
３０１　復調部
３０２　スイッチ部
３０３　デスクランブル部
３０４、７０４　分離部
３０５、４０５、７１３　映像デコーダ部
３０６　通信モジュール部
３０７、７０７　蓄積部
３０８　ＳＴＣ生成部
３０９、４０９　ＴＳＴＣ生成部
３１０　時刻情報切替部
３１１、７１１　蓄積メディア
３１２　音声切替部
３１３、７０５　音声デコーダ部
３１４、４１４、７１４　制御部
３１５　入力部
４１６　副映像デコーダ部
４１７　映像合成部
７１２　映像切替部
【図１】
2004088366.tif 000003
【図２】
2004088366.tif 000004
【図３】
2004088366.tif 000005
【図４】
2004088366.tif 000006
【図５】
2004088366.tif 000007
【図６】
2004088366.tif 000008
【図７】
2004088366.tif 000009
【図８】
2004088366.tif 000010
【図９】
2004088366.tif 000011
【図１０】
2004088366.tif 000012
【図１１】
2004088366.tif 000013
【図１２】
2004088366.tif 000014